(57)【要約】【課題】  複数の記録媒体を装着可能な画像記録装置において、記録先として選択された記録媒体が画像記録可能な状態にないまま撮影動作がなされることによる画像の記録の失敗を防止する。【解決手段】  画像の記録が指示されると（ｓｔｅｐ１）、切り替えつまみの状態に基づいて複数の記録媒体からいずれかの記録媒体を記録先として選択し、複数の記録媒体の各々が画像記録可能な状態にあるか否かを検知する（ｓｔｅｐ３，１１）。その後、上記選択された記録媒体が画像記録可能な状態になく、かつ、他の記録媒体が画像記録可能な状態にある場合、所定の警告を発し（ｓｔｅｐ５，１３）、その警告後に再度画像の記録の指示があった場合、当該他の記録媒体に画像記録を開始させる（ｓｔｅｐ７，１５）。【選択図】  図３
2005142674.tif 000002
【特許請求の範囲】
【請求項１】
複数の記録媒体を装着可能な画像記録装置であって、
前記複数の記録媒体からいずれかの記録媒体を記録先として選択する選択手段と、
画像の記録を指示する指示手段と、
前記複数の記録媒体の各々が画像記録可能な状態にあるか否かを検知する検知手段と、
前記指示手段による指示があった際に前記選択手段によって選択された記録媒体が画像記録可能な状態になく、かつ、他の記録媒体が画像記録可能な状態にある場合、所定の警告を発する警告手段と、
前記警告手段による警告後に前記指示手段による再度の指示があった場合、当該他の記録媒体に画像記録を開始させる制御手段と、
を有することを特徴とする画像記録装置。
【請求項２】
前記検知手段は、各記録媒体が装着されているか否かを検知する手段を含むことを特徴とする請求項１に記載の画像記録装置。
【請求項３】
前記複数の記録媒体とは別に内蔵されるメモリを更に有し、
前記制御手段は更に、
前記選択手段により選択された記録媒体が画像記録可能な状態になく、かつ、他の記録媒体が画像記録可能な状態にあることが前記検知手段によって検知された時点から、前記警告手段による警告後に前記指示手段による再度の指示があるまでの間は、前記メモリに画像記録を行わせる
ことを特徴とする請求項１または２に記載の画像記録装置。
【請求項４】
前記制御手段は、
前記選択手段により選択された記録媒体が画像記録可能な状態になく、かつ、他の記録媒体が画像記録可能な状態にあることが前記検知手段によって検知された時点から、当該他の記録媒体に画像記録を開始させる
ことを特徴とする請求項１または２に記載の画像記録装置。
【請求項５】
前記制御手段は更に、
前記警告手段による警告後、所定時間内に前記指示手段による再度の指示がなかった場合に、当該他の記録媒体に記録した画像を消去する
ことを特徴とする請求項４に記載の画像記録装置。
【請求項６】
前記制御手段は、
前記警告手段による警告後に前記指示手段による再度の指示があった場合、前記選択手段によって選択された記録媒体が画像記録可能な状態にあったとしたならばその記録媒体に記録する符号化形式と同一の符号化形式により、当該他の記録媒体に画像記録を開始させる
ことを特徴とする請求項１または２に記載の画像記録装置。
【請求項７】
請求項１から６までのいずれかに記載の画像記録装置を有するビデオカメラ装置。
【請求項８】
複数の記録媒体を装着可能な画像記録装置の制御方法であって、
前記複数の記録媒体からいずれかの記録媒体を記録先として選択する選択ステップと、
画像の記録を指示する指示ステップと、
前記複数の記録媒体の各々が画像記録可能な状態にあるか否かを検知する検知ステップと、
前記指示ステップによる指示があった際に前記選択ステップで選択された記録媒体が画像記録可能な状態になく、かつ、他の記録媒体が画像記録可能な状態にある場合、所定の警告を発する警告ステップと、
前記警告ステップによる警告後に再度画像の記録の指示があった場合、当該他の記録媒体に画像記録を開始させる制御ステップと、
を有することを特徴とする画像記録装置の制御方法。
【請求項９】
前記検知ステップは、各記録媒体が装着されているか否かを検知する工程を含むことを特徴とする請求項８に記載の画像記録装置の制御方法。
【請求項１０】
前記画像記録装置は、前記複数の記録媒体とは別に内蔵されるメモリを更に有し、
前記制御ステップは更に、
前記選択ステップで選択された記録媒体が画像記録可能な状態になく、かつ、他の記録媒体が画像記録可能な状態にあることが前記検知ステップにおいて検知された時点から、前記警告ステップによる警告後に再度画像の記録の指示があるまでの間は、前記メモリに画像記録を行わせる
ことを特徴とする請求項８または９に記載の画像記録装置の制御方法。
【請求項１１】
前記制御ステップは、
前記選択ステップで選択された記録媒体が画像記録可能な状態になく、かつ、他の記録媒体が画像記録可能な状態にあることが前記検知ステップにおいて検知された時点から、当該他の記録媒体に画像記録を開始させる
ことを特徴とする請求項８または９に記載の画像記録装置の制御方法。
【請求項１２】
前記制御ステップは更に、
前記警告ステップによる警告後、所定時間内に再度画像の記録の指示がなかった場合に、当該他の記録媒体に記録した画像を消去する
ことを特徴とする請求項１１に記載の画像記録装置の制御方法。
【請求項１３】
前記制御ステップは、
前記警告ステップによる警告後に再度画像の記録の指示があった場合、前記選択ステップで選択された記録媒体が画像記録可能な状態にあったとしたならばその記録媒体に記録する符号化形式と同一の符号化形式により、当該他の記録媒体に画像記録を開始させる
ことを特徴とする請求項８または９に記載の画像記録装置の制御方法。
【請求項１４】
複数の記録媒体を装着可能な画像記録装置を制御するための制御プログラムであって、
前記複数の記録媒体からいずれかの記録媒体を記録先として選択する選択ステップ、
画像の記録を指示する指示ステップ、
前記複数の記録媒体の各々が画像記録可能な状態にあるか否かを検知する検知ステップ、
前記指示ステップによる指示があった際に前記選択ステップで選択された記録媒体が画像記録可能な状態になく、かつ、他の記録媒体が画像記録可能な状態にある場合、所定の警告を発する警告ステップ、
前記警告ステップによる警告後に再度画像の記録の指示があった場合、当該他の記録媒体に画像記録を開始させる制御ステップ、
を実行させるための制御プログラム。
【請求項１５】
請求項１４に記載の制御プログラムを格納したメモリ媒体。
【発明の詳細な説明】
【技術分野】
【０００１】
本発明は、静止画や動画などの映像情報を記録媒体に記録するための画像記録装置およびその制御方法に関し、特に、複数の記録媒体を装着可能な画像記録装置およびその制御方法に関する。
【背景技術】
【０００２】
近年、テープのみを記録媒体とする旧来のビデオカメラとは異なり、ＤＶテープとメモリカードといった着脱可能な複数の記録媒体に対して画像や音声を記録・再生可能なビデオカメラが普及してきた。高画質の動画をＤＶテープに、そして静止画もしくは小サイズの動画をメモリカードにそれぞれ記録するというのが一般的な使われかたである。
【０００３】
上記のような、複数の着脱可能な記録媒体を利用するビデオカメラは、ビデオカメラ本体上の切り替えつまみを回してテープ、メモリカードの切り替えを行っている。テープに記録したい場合は切り替えつまみをテープ側に、メモリカードに記録したい場合は切り替えつまみをメモリカード側に切り替える。切り替えつまみによって選択された記録媒体がビデオカメラに入っていないときは、現在、特許文献１に記載のように記録媒体がビデオカメラに入っていないことを液晶画面上に表示し、録画操作を無効とする構成になっている。
【０００４】
【特許文献１】特開２０００−０２３０７８号公報
【発明の開示】
【発明が解決しようとする課題】
【０００５】
しかしながら、上述のような従来例では、動画または静止画の記録をする際に、選択されている記録媒体がビデオカメラに入っておらず、選択されていない記録媒体がビデオカメラに入っている場合、記録を行うには選択されている記録媒体を新たに挿入するか、切り替えつまみで記録先の記録媒体を切り替えなければならない。そうすると、その間に大切なシーンを撮り逃す可能性があり、使用者の利便性を損ねていた。
【０００６】
特に使用者の不注意によって媒体の選択を誤っていた場合、例えば使用者はメモリカードへの記録を意図していながら、誤って切り替えつまみをテープ側に選択し、なおかつテープが装置に装填されていないような場合は、録画操作が無効になるばかりでなく、使用者がその誤った選択に気づいて正しい状態に再設定するのは、極めて困難だった。
【０００７】
本発明は上記問題点を鑑みてなされたものであり、例えば、複数の記録媒体を装着可能な画像記録装置において、記録先として選択された記録媒体が画像記録可能な状態にないまま撮影動作がなされることによる画像の記録の失敗を防止することを目的とする。
【課題を解決するための手段】
【０００８】
本発明の一側面に係る画像記録装置は、複数の記録媒体を装着可能な画像記録装置であって、前記複数の記録媒体からいずれかの記録媒体を記録先として選択する選択手段と、画像の記録を指示する指示手段と、前記複数の記録媒体の各々が画像記録可能な状態にあるか否かを検知する検知手段と、前記指示手段による指示があった際に前記選択手段によって選択された記録媒体が画像記録可能な状態になく、かつ、他の記録媒体が画像記録可能な状態にある場合、所定の警告を発する警告手段と、前記警告手段による警告後に前記指示手段による再度の指示があった場合、当該他の記録媒体に画像記録を開始させる制御手段とを有することを特徴とする。
【０００９】
本発明の別の側面に係る画像記録装置の制御方法は、複数の記録媒体を装着可能な画像記録装置の制御方法であって、前記複数の記録媒体からいずれかの記録媒体を記録先として選択する選択ステップと、画像の記録を指示する指示ステップと、前記複数の記録媒体の各々が画像記録可能な状態にあるか否かを検知する検知ステップと、前記指示ステップによる指示があった際に前記選択ステップで選択された記録媒体が画像記録可能な状態になく、かつ、他の記録媒体が画像記録可能な状態にある場合、所定の警告を発する警告ステップと、前記警告ステップによる警告後に再度画像の記録の指示があった場合、当該他の記録媒体に画像記録を開始させる制御ステップとを有することを特徴とする。
【発明の効果】
【００１０】
本発明によれば、例えば、複数の記録媒体を装着可能な画像記録装置において、記録先として選択された記録媒体が画像記録可能な状態にないまま撮影動作がなされることによる画像の記録の失敗を防止することができる。
【発明を実施するための最良の形態】
【００１１】
以下、本発明の好適な実施の形態としてデジタルビデオカメラに関して説明するが、本発明は、動画又は静止画を記録媒体に記録するあらゆる画像記録装置（例えば、電子カメラ、銀塩カメラなど）に適用することができる。また、本発明は、画像記録装置を構成要素の一部として含む画像処理装置や情報処理装置等のあらゆる装置に適用することができる。また、本発明は、撮像装置等の他の装置から供給される画像を記録媒体に記録する画像記録装置にも適用することができる。
【００１２】
（第１の実施形態）
図１は本実施形態におけるビデオカメラの外観を示す図、図２はそのハードウェア構成を示すブロック図である。
【００１３】
図２のビデオカメラ１００は、記録媒体としてのテープ（例えばＤＶテープ）ＴまたはメモリカードＭに対して画像データを記録再生する。
【００１４】
図２において、１０１は撮像部、１０２はメモリで、撮像部１０１より得られた所定フレーム数分の画像データを記憶可能である。１０３は動画符号化部であり、本実施形態では、テープＴに対する記録フォーマットに応じた符号化形式、例えば、ＤＶフォーマットに従う形式で動画像信号を符号化する。１０４は静止画符号化部であり、メモリ１０２に記憶された画像信号をＪＰＥＧ方式で符号化する。
【００１５】
１０５は操作スイッチ１０６の指示や、後述のようにテープＴあるいはメモリカードＭの装着状態に応じてビデオカメラ１００の各部の動作を制御するシステム制御部である。１０６は図１の動画記録ボタン６５、静止画記録ボタン６４、切り替えつまみ６７などの各種の操作ボタンを含む操作スイッチである。１０７はテープＴに対して符号化された画像信号を記録再生する記録再生部である。１０８はメモリカードＭに対して符号化された画像信号を記録再生するカードインタフェース（カードＩ／Ｆ）である。また、９８は記録媒体としてのテープＴおよびメモリカードＭがビデオカメラ１００に装着されているか否かを検知する記録媒体着脱検知部である。
【００１６】
１０８は撮像部１０１より得られた画像や、テープＴ、メモリカードＭから再生された画像、或は各種のメニュー情報や警告情報などを表示部１１０に表示する表示制御部、１１０は液晶パネルを含む表示部である。１１１はビデオカメラ１００の各部の間で画像信号や各種のデータを送受信するためのバスである。
【００１７】
次に、上記のような構成のビデオカメラ１００における切り替えつまみ６７による選択状態とテープＴ及びメモリカードＭの装着状態に応じた、システム制御部１０５の制御動作について説明する。
【００１８】
図３は、動画または静止画を記録する際の、システム制御部１０５による制御の内容を示すフローチャートである。
【００１９】
まず、ｓｔｅｐ１で、静止画記録ボタン６４または動画記録ボタン６５（以下、単に「録画ボタン」という。）が押されたことを検知する。この録画ボタンの押下に基づいて画像の記録を指示することになる。そして、ｓｔｅｐ２で切り替えつまみ６７が指している内容で分岐する。もし、メモリカードを指しているならｓｔｅｐ３へ、テープを指しているならｓｔｅｐ１１へと分岐する。
【００２０】
ｓｔｅｐ３では、記録媒体着脱検知部９８に問合わせることにより、メモリカードＭがビデオカメラ１００に装着されているか否か（すなわち、メモリカードＭが画像記録可能な状態にあるか否か）を確認し、メモリカードＭがビデオカメラ１００に装着されているときは、「メモリカード有り」としてｓｔｅｐ１０へ、装着されていないときは、「メモリカード無し」としてｓｔｅｐ４へと分岐する。ｓｔｅｐ１０では、切り替えつまみ６７によって記録先として選択されたメモリカードが装着されていることが確認されたので、そのままメモリカードＭへの画像記録を開始する。
【００２１】
一方、ｓｔｅｐ４では、記録媒体着脱検知部９８に問合わせることにより、ビデオカメラ１００にテープＴが装着されているか否か（すなわち、テープＴが画像記録可能な状態にあるか否か）を確認し、ビデオカメラ１００にテープＴが装着されているときは、「テープ有り」としてｓｔｅｐ５へ、装着されていないときは、「テープ無し」としてｓｔｅｐ９へと分岐する。ｓｔｅｐ９では、記録媒体が１つも入っていないことが判明したので、記録媒体が無いことを例えば表示部１１０に表示する。
【００２２】
ｓｔｅｐ５では、テープＴに記録をしてよいかどうか警告を例えば表示部１１０に表示する。次に、ｓｔｅｐ６で、再度録画ボタンが押されたかどうかによって分岐する。ここでは例えばｓｔｅｐ５の警告を表示してから所定時間（例えば３０秒間）内に録画ボタンが押されたかどうかを判定する。録画ボタンが押されたならｓｔｅｐ７へ、押されなければｓｔｅｐ８へと分岐する。そして、ｓｔｅｐ７では、テープＴに記録を開始する。一方、ｓｔｅｐ８では、記録モードを停止する。
【００２３】
ｓｔｅｐ２において、切り替えつまみ６７がテープを指示していた場合はｓｔｅｐ１１に進む。ｓｔｅｐ１１では、記録媒体着脱検知部９８に問合わせることにより、ビデオカメラ１００にテープＴが装着されているか否か（すなわち、テープＴが画像記録可能な状態にあるか否か）を確認し、ビデオカメラ１００にテープＴが装着されているときは、「テープ有り」としてｓｔｅｐ１８へ、装着されていないときは、「テープ無し」としてｓｔｅｐ１２へと分岐する。ｓｔｅｐ１８では、切り替えつまみ６７によって選択されたテープが装着されていることが確認されたので、そのままテープＴへの画像記録を開始する。
【００２４】
一方、ｓｔｅｐ１２では、記録媒体着脱検知部９８に問合わせることにより、メモリカードＭがビデオカメラ１００に装着されているか否か（すなわち、メモリカードＭが画像記録可能な状態にあるか否か）を確認し、メモリカードＭがビデオカメラ１００に装着されているときは、「メモリカード有り」としてｓｔｅｐ１３へ、装着されていないときは、「メモリカード無し」としてｓｔｅｐ１７へと分岐する。ｓｔｅｐ１７では、記録媒体が１つも入っていないことが判明したので、記録媒体が無いことを例えば表示部１１０に表示する。
【００２５】
ｓｔｅｐ１３では、メモリカードＭに記録をしてよいかどうか警告を表示部１１０に表示する。次に、ｓｔｅｐ１４で、再度録画ボタンが押されたかどうかによって分岐する。ここでは例えばｓｔｅｐ５の警告を表示してから所定時間（例えば３０秒間）内に録画ボタンが押されたかどうかを判定する。録画ボタンが押されたならｓｔｅｐ１５へ、押されなければｓｔｅｐ１６へと分岐する。そして、ｓｔｅｐ１５では、メモリカードＭに記録を開始する。一方、ｓｔｅｐ１６では、記録モードを停止する。
【００２６】
以上の図３に示したフローチャートに従う制御によれば、切り替えつまみ６７がメモリカードを指している場合、まずメモリカードの有無を検知し（ｓｔｅｐ３）、メモリカードが入っている場合はメモリカードに記録を開始し（ｓｔｅｐ１０）、メモリカードが入っておらずテープが入っている場合は、テープに記録してよいか警告を表示し（ｓｔｅｐ５）、その後再度録画ボタンが押されることでテープに記録を開始する（ｓｔｅｐ７）。一方、切り替えつまみ６７がテープを指している場合は、まずテープの有無を検知し（ｓｔｅｐ１１）、テープが入っている場合はテープに記録を開始し（ｓｔｅｐ１８）、テープが入っておらずメモリカードが入っている場合は、メモリカードに記録してよいか警告を表示し（ｓｔｅｐ１３）、その後再度録画ボタンが押されることでメモリカードに記録を開始する（ｓｔｅｐ１５）。
【００２７】
よって、使用者が意図していた媒体とは異なる媒体を切り替えつまみ６７が指しており、なおかつ切り替えつまみ６７が指している媒体がビデオカメラにおいて画像記録可能な状態にない場合、従来では録画操作がそのまま無効とされていたところ、このビデオカメラによれば、別の記録媒体が画像記録可能な状態にあれば、上記警告の後再度録画ボタンを押すだけで記録先をその記録媒体に切り換えて記録することができる。これにより、その間の大切なシーンを撮り逃すことを大幅に減らすことができ、使用者の利便性を高めることができる。
【００２８】
（第２の実施形態）
続いて、第２の実施形態について説明する。この実施形態は、上記したビデオカメラにおいて静止画を記録する際の制御処理に関する。
【００２９】
図４は、本実施形態における、静止画を記録する際の、システム制御部１０５による制御の内容を示すフローチャートである。
【００３０】
まず、ｓｔｅｐ１０１で、静止画記録ボタン６４が押されたことを検知する。この検知に基づいて画像の記録を指示することになる。そして、ｓｔｅｐ１０２で切り替えつまみ６７が指している内容で分岐する。もし、メモリカードを指しているならｓｔｅｐ１０３へ、テープを指しているならｓｔｅｐ１１２へと分岐する。
【００３１】
ｓｔｅｐ１０３では、記録媒体着脱検知部９８に問合わせることにより、メモリカードＭがビデオカメラ１００に装着されているか否か（すなわち、メモリカードＭが画像記録可能な状態にあるか否か）を確認し、メモリカードＭがビデオカメラ１００に装着されているときは、「メモリカード有り」としてｓｔｅｐ１１１へ、装着されていないときは、「メモリカード無し」としてｓｔｅｐ１０４へと分岐する。ｓｔｅｐ１１１では、切り替えつまみ６７によって選択されたメモリカードが装着されていることが確認されたので、そのままメモリカードＭへの静止画記録を開始する。
【００３２】
一方、ｓｔｅｐ１０４では、記録媒体着脱検知部９８に問合わせることにより、ビデオカメラ１００にテープＴが装着されているか否か（すなわち、テープＴが画像記録可能な状態にあるか否か）を確認し、ビデオカメラ１００にテープＴが装着されているときは、「テープ有り」としてｓｔｅｐ１０５へ、装着されていないときは、「テープ無し」としてｓｔｅｐ１１０へと分岐する。ｓｔｅｐ１１０では、記録媒体が１つも入っていないことが判明したので、記録媒体が無いことを例えば表示部１１０に表示する。
【００３３】
ｓｔｅｐ１０５では、静止画をいったん内部のメモリ１０２に記録する。その後、ｓｔｅｐ１０６で、テープＴに静止画を記録をしてよいかどうか警告を例えば表示部１１０に表示する。次に、ｓｔｅｐ１０７で、再度静止画記録ボタン６４が押されたかどうかによって分岐する。ここでは例えばｓｔｅｐ１０６の警告を表示してから所定時間（例えば３０秒間）内に静止画記録ボタン６４が押されたかどうかを判定する。静止画記録ボタン６４が押されたならｓｔｅｐ１０８へ、押されなければｓｔｅｐ１０９へと分岐する。ｓｔｅｐ１０８では、テープＴに記録を開始する。一方、ｓｔｅｐ１０９では、記録モードを停止する。
【００３４】
ｓｔｅｐ１０２において、切り替えつまみ６７がテープを指していた場合は、ｓｔｅｐ１１２に進む。ｓｔｅｐ１１２では、記録媒体着脱検知部９８に問合わせることにより、ビデオカメラ１００にテープＴが装着されているか否か（すなわち、テープＴが画像記録可能な状態にあるか否か）を確認し、ビデオカメラ１００にテープＴが装着されているときは、「テープ有り」としてｓｔｅｐ１２０へ、装着されていないときは、「テープ無し」としてｓｔｅｐ１１３へと分岐する。ｓｔｅｐ１２０では、切り替えつまみ６７によって選択されたＤＶテープが装着されていることが確認されたので、そのままテープＴへの静止画の記録を開始する。
【００３５】
一方、ｓｔｅｐ１１３では、記録媒体着脱検知部９８に問合わせることにより、メモリカードＭがビデオカメラ１００に装着されているか否か（すなわち、メモリカードＭが画像記録可能な状態にあるか否か）を確認し、メモリカードＭがビデオカメラ１００に装着されているときは、「メモリカード有り」としてｓｔｅｐ１１４へ、装着されていないときは、「メモリカード無し」としてｓｔｅｐ１１９へと分岐する。ｓｔｅｐ１１９では、記録媒体が１つも入っていないことが判明したので、記録媒体が無いことを例えば表示部１１０に表示する。
【００３６】
ｓｔｅｐ１１４では、静止画をいったんビデオカメラ１００に内蔵されているメモリ１０２に記録する。ｓｔｅｐ１１５では、メモリカードＭに記録をしてよいかどうか警告を表示部１１０に表示する。次に、ｓｔｅｐ１１６で、再度静止画記録ボタンが押されたかどうかによって分岐する。ここでは例えばｓｔｅｐ１１５の警告を表示してから所定時間（例えば３０秒間）内に静止画記録ボタン６４が押されたかどうかを判定する。静止画記録ボタン６４が押されたならｓｔｅｐ１１７へ、押されなければｓｔｅｐ１１８へと分岐する。そして、ｓｔｅｐ１１７では、メモリカードＭに記録を開始する。一方、ｓｔｅｐ１１８では、記録モードを停止する。
【００３７】
以上の図４に示したフローチャートに従う制御によれば、静止画を記録する際、切り替えつまみ６７によって選択された記録媒体が記録可能に装着されておらず、一方、選択されていない別の記録媒体が装着されている場合、その別の記録媒体が装着されていることが検知された時点で静止画が一時的に内蔵メモリに記録され、警告を表示した後、再度静止画記録ボタンが押されることで、切り替えつまみ６７によって選択されていない別の記録媒体に記録が行われる。
【００３８】
よって、切り替えつまみ６７によって選択された記録媒体が記録可能な状態になくとも、別の記録媒体が装着されていることが検知された時点における静止画を記録することができるので、使用者が望んだ場面の静止画を提供することができる。
【００３９】
（第３の実施形態）
上述した第１実施形態は、切り替えつまみ６７がテープを指しているもののテープＴがビデオカメラに装填されておらず、その一方メモリカードＭが装着されている状態で動画記録ボタン６５が押されると、所定の警告表示がなされ（ｓｔｅｐ１３）、その後に再度動画記録ボタン６５が押されるとメモリカードに画像が記録される（ｓｔｅｐ１５）、というものであった。この場合、最初に動画記録ボタン６５が押されてから再度動画記録ボタン６５が押されるまでの間の画像記録はまったく行われないことになる。
【００４０】
そこで、本実施形態では、切り替えつまみ６７がテープを指している状態において、テープＴがビデオカメラに装着されておらず、メモリカードＭは装着されている場合には、メモリカードＭが装着されていることが判明した時点からメモリカードＭに動画を記録するようにする。また、警告表示後にメモリカードＭへの記録がキャンセルされたならば、それまでメモリカードＭに蓄えられていた動画は破棄されることが好ましい。
【００４１】
図５は、本実施形態における、動画を記録する際のシステム制御部１０５による制御の内容を示すフローチャートである。
【００４２】
図５のフローチャートは図３のフローチャートとほぼ同様であるので、同じ処理ステップには同じ参照番号を付してそれらの説明は省略する。図３のフローチャートと相違する点は２点ある。
【００４３】
第１は、ｓｔｅｐ１２で「メモリあり」と判断された場合、ｓｔｅｐ１３の警告表示の前にｓｔｅｐ３１が挿入されている点である。このｓｔｅｐ３１で、メモリカードＭへの記録が開始される。
【００４４】
第２は、ｓｔｅｐ１４で動画記録ボタン６５が押されず、ｓｔｅｐ１６で記録モードが停止された場合、その後に、ｓｔｅｐ３１によってメモリカードＭに記録された動画を消去するｓｔｅｐ３２が追加されている点である。これによりメモリカードＭの空き容量を元に戻すことができる。
【００４５】
この図５に示したフローチャートに従う制御によれば、切り替えつまみ６７がテープを指している状態で動画記録ボタンが押されたがテープＴがビデオカメラに装填されていなかった場合において、メモリカードＭが装着されている場合には、そのメモリカードＭが装着されていることが判明した時点から再度動画記録ボタン６５が押されるまでの間（すなわち、ｓｔｅｐ１〜１２までの期間）の画像記録を確保することができる。
【００４６】
（第４の実施形態）
続いて、第４の実施形態について説明する。この実施形態は、動画を記録する場合、切り替えつまみ６７がテープを指しているときは、テープ、メモリカードともに第１の符号化形式として例えばＤＶフォーマットで記録し、切り替えつまみ６７がメモリカードを指しているときは、メモリカード、テープともに第２の符号化形式として例えばＭｏｔｉｏｎ−ＪＰＥＧで記録を行うように制御するものである。
【００４７】
図６は、本実施形態における、画像を記録する際のシステム制御部１０５による制御の内容を示すフローチャートである。
【００４８】
図６のフローチャートは図３のフローチャートとほぼ同様である。ただし、第１の実施形態では、ＤＶテープもしくはメモリカードへの記録処理を行うｓｔｅｐ７，１０，１８，１５において、その記録フォーマットについては言及していなかった。動画を記録する場合、ＤＶテープにはＤＶフォーマットで記録し、メモリカードにはビットレートの点でリーズナブルなＭｏｔｉｏｎ−ＪＰＥＧなどで記録するというのが一般に想定されるところであろう。
【００４９】
本実施形態でも、切り替えつまみ６７がメモリカードを指していた場合においてメモリカードＭが装着されていれば、ｓｔｅｐ１０では、メモリカードＭに例えばＭｏｔｉｏｎ−ＪＰＥＧで画像記録を行い、切り替えつまみ６７がテープを指していた場合においてテープＴが装着されていれば、ｓｔｅｐ１８では、テープＴにＤＶフォーマットで画像記録を行う。
【００５０】
他方、切り替えつまみ６７がメモリカードを指していた状態でメモリカードＭが装着されていなかったが、テープＴが装着されていたので、警告表示に応じたユーザによってそのテープＴへの録画が指示された場面では、ｓｔｅｐ７に代わるｓｔｅｐ７’として、テープＴにＭｏｔｉｏｎ−ＪＰＥＧで画像を記録する。また、切り替えつまみ６７がテープを指していた状態でテープＴが装着されていなかったが、メモリカードＭが装着されていたので、警告表示に応じたユーザによってそのメモリカードＭへの録画が指示された場面では、ｓｔｅｐ１５に代わるｓｔｅｐ１５’として、メモリカードＭにＤＶフォーマットで画像を記録する。
【００５１】
上記した制御処理の要点は、切り替えつまみにより選択された記録媒体の代わりに別の記録媒体に記録するかどうかの警告後に、当該別の記録媒体への記録の指示があった場合、切り替えつまみによって選択されていた記録媒体が画像記録可能な状態にあったとしたならばその記録媒体に記録することになる符号化形式と同一の符号化形式により、当該別の記録媒体に画像記録を行わせる、という点にある。
【００５２】
このような処理によれば、切り替えつまみ６７がメモリカードを指している場合、いったんテープにＭｏｔｉｏｎ−ＪＰＥＧで記録した後に、記録フォーマットの変換を行うことなく容易にメモリカードに転送することができる。また、切り替えつまみ６７がテープを指している場合、いったんメモリカードにＤＶフォーマットで記録した後に、記録フォーマットの変換を行うことなく容易にＤＶテープにダビングすることができる。
【００５３】
よって、切り替えつまみが指している媒体が入っていなくとも、使用者の意図したフォーマットで記録が可能になる。
【００５４】
なおここでは、記録方式としてＤＶフォーマットおよびＭｏｔｉｏｎ−ＪＰＥＧを用いたが、これらは一例であって、他の記録方式として、ＭＰＥＧ、ＨＤフォーマット、ＪＰＥＧ２０００などを用いてもよいことはいうまでもない。
【００５５】
（その他の実施形態）
図３，５，６のフローチャートにおけるｓｔｅｐ１３、ならびに図４のフローチャートにおけるｓｔｅｐ１１５は、切り替えつまみ６７がテープを指していた状態においてテープＴが装着されていなかったが、メモリカードＭが装着されていたので、メモリカードＭに記録してよいかを警告表示するステップであったが、ここでは、メモリカードに記録してよいかを問い合わせるメッセージだけでなく、メモリカードに記録を開始する際に、記録時間がテープよりも少ないことも警告表示することが好ましい。これにより、切り替えつまみ６７がテープを指しているにもかかわらずテープを入れ忘れてしまったような場面で、使用者が記録時間に関して勘違いをすることがなくなり、より利便性を高めることができるであろう。
【００５６】
また、上記の各実施形態では、記録媒体としてＤＶテープとメモリカードを用いたが、磁気ディスクや光ディスク等の別の記録媒体を使用するタイプにも本発明を適用できることは言うまでもない。
【００５７】
なお、上記した実施形態では、図３，５，６におけるｓｔｅｐ３，４，１１，１２、および、図４におけるｓｔｅｐ１０３，１０４，１１２，１１３において、記録媒体着脱検知部９８に問合わせることにより、記録媒体がビデオカメラに装着されているどうかを判定したが、これは記録媒体が画像記録可能な状態にあるか否かを判定するための一態様にすぎない。例えば、記録媒体がビデオカメラにたとえ装着されていたとしてもテープエンドであったり、メモリフルなどの状態であれば画像記録はもはやできないのであるから、このような場合も「メモリなし」または「テープなし」と判断されることになる。
【００５８】
また、本発明は、複数の機器（例えば、レンズユニット、画像処理部、画像記録部など）から構成されるシステムに適用しても、一つの機器からなる装置（例えば、単体のカメラ）に適用してもよい。
【００５９】
なお、本発明は、前述した実施形態の機能を実現するソフトウェアのプログラム（図３〜６のいずれかに示すフローチャートに対応したプログラム）を、システムあるいは装置に直接あるいは遠隔から供給し、そのシステムあるいは装置のコンピュータがその供給されたプログラムコードを読み出して実行することによって目的が達成される場合を含む。その場合、プログラムの機能を有していれば、その形態はプログラムである必要はない。
【００６０】
従って、本発明の機能処理をコンピュータで実現するために、そのコンピュータにインストールされるプログラムコード自体およびそのプログラムを格納した記憶媒体（メモリ媒体）も本発明を構成することになる。つまり、本発明の特許請求の範囲には、本発明の機能処理を実現するためのコンピュータプログラム自体、およびそのプログラムを格納した記憶媒体も含まれる。
【００６１】
その場合、プログラムの機能を有していれば、オブジェクトコード、インタプリタにより実行されるプログラム、ＯＳに供給するスクリプトデータ等、プログラムの形態を問わない。
【００６２】
プログラムを供給するための記憶媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６３】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００６６】
さらに、記憶媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６７】
【図１】本発明の実施形態におけるビデオカメラの外観を示す図である。
【図２】本発明の実施形態におけるビデオカメラのハードウェア構成を示すブロック図である。
【図３】本発明の第１の実施形態におけるビデオカメラの記録の制御を示すフローチャートである。
【図４】本発明の第２の実施形態におけるビデオカメラの記録の制御を示すフローチャートである。
【図５】本発明の第３の実施形態における記録装置の記録の制御を示すフローチャートである。
【図６】本発明の第４の実施形態における記録装置の記録の制御を示すフローチャートである。
【図１】
2005142674.tif 000003
【図２】
2005142674.tif 000004
【図３】
2005142674.tif 000005
【図４】
2005142674.tif 000006
【図５】
2005142674.tif 000007
【図６】
2005142674.tif 000008